(57)【要約】【課題】ツイストペアケーブル、特にシールデッドツイストペアケーブルの撚り戻し部におけるインピーダンスの増加またはノイズ性能の低下を抑え、かつツイストペアケーブルと電気コネクタとの接続を容易または確実に行うことができるようにする。【解決手段】電気コネクタが接続されるシールデッドツイストペアケーブルの端部において、一対の単線１０２を撚り戻した部分を、シェル部材のベース部４上の切り起こし部５間に配置し、当該撚り戻し部における一対の単線１０２を互いに平行にかつ互いに接触または近接させて並べる。そして、ベース部４にケーブルカバー部材６を取り付ける。これにより、当該撚り戻し部は、いずれも導電材料により形成されたベース部４、切り起こし部５およびケーブルカバー部材６に覆われる。このような構成により、当該撚り戻し部におけるインピーダンスを下げ、ノイズ性能を高めることができる。【選択図】図５
2012018898.tif 000002
【特許請求の範囲】
【請求項１】
導体と当該導体を被膜する絶縁体とをそれぞれ有する一対の単線を互いに撚り合わせることにより形成されたツイストペアケーブルの端部に接続する電気コネクタであって、
絶縁材料により形成され、前記ツイストペアケーブルの端部において前記一対の単線を撚り戻し、撚り戻した前記各単線の端部を装着するコネクタ本体と、
前記コネクタ本体および前記ツイストペアケーブルの端部における前記一対の単線を撚り戻した部分である撚り戻し部を保持するシェル部材とを備え、
前記シェル部材は、
導電材料により形成され、先端側に前記コネクタ本体が配置され、基端側に前記撚り戻し部が配置されるベース部と、
導電材料により形成され、前記ベース部の基端側に配置された前記撚り戻し部における前記一対の単線を、当該一対の単線が互いに平行に並びかつ互いに近接または接触するように位置決めした状態で保持するケーブル保持部と、
前記ベース部との間に少なくとも前記撚り戻し部および前記ケーブル保持部が位置するように前記ベース部上に設けられたカバー部とを備えた電気コネクタ。
【請求項２】
前記ケーブル保持部は、前記撚り戻し部における前記一対の単線の周囲の全部または一部をまとめて覆うことを特徴とする請求項１に記載の電気コネクタ。
【請求項３】
前記ケーブル保持部は、前記ベース部の基端部から前記コネクタ本体に達しまたは接近するまでの間、前記撚り戻し部を連続的に覆うことを特徴とする請求項１または２に記載の電気コネクタ。
【請求項４】
前記ケーブル保持部は、前記ベース部に、当該ベース部から独立した導電部材を取り付けることにより形成されることを特徴とする請求項１ないし３のいずれかに記載の電気コネクタ。
【請求項５】
前記ベース部の基端側には、前記撚り戻し部の両側を挟み込むように前記ベース部から突出し、前記撚り戻し部における一対の単線を前記ベース部上において位置決めする少なくとも一対の突部が設けられ、前記導電部材は前記一対の突部間を架橋するように前記ベース部または前記一対の突部に取り付けられることを特徴とする請求項４に記載の電気コネクタ。
【請求項６】
前記カバー部には、前記導電部材を前記ベース部との間で押さえる押さえ部が形成されていることを特徴とする請求項４または５に記載の電気コネクタ。
【請求項７】
前記ケーブル保持部は、前記ベース部の一部を切り起こして曲げることにより形成されることを特徴とする請求項１ないし３のいずれかに記載の電気コネクタ。
【請求項８】
前記カバー部の全部または一部は導電材料により形成され、前記ケーブル保持部は、前記ベース部に前記カバー部を取り付けることにより、当該カバー部のうち導電材料により形成された部分で前記撚り戻し部の少なくとも上部を覆うことにより形成されることを特徴とする請求項１ないし３のいずれかに記載の電気コネクタ。
【請求項９】
前記コネクタ本体には、それぞれ撚り戻した複数対の単線がそれぞれ装着され、
前記ベース部の基端側には前記複数対の単線の撚り戻し部がそれぞれ配置され、
前記ケーブル保持部は複数設けられ、前記ベース部の基端側に配置された前記複数対の単線の撚り戻し部をそれぞれ保持することを特徴とする請求項１ないし８のいずれかに記載の電気コネクタ。
【請求項１０】
前記ベース部は、当該ベース部の底板を形成する底板部と当該ベース部の横壁を形成する一対の側板部とを備え、
前記ケーブル保持部は一対の隔壁部を備え、前記一対の隔壁部は、前記ベース部の底板部上であって一対の側板部間に配置され、前記ベース部の底板部に対して立ち上がり、前記ベース部の基端部から前記コネクタ本体に達しまたは接近する位置まで互いに平行に伸長し、
前記撚り戻し部は前記ケーブル保持部の一対の隔壁部間に保持され、
前記カバー部は、導電材料により平板状に形成され、前記ケーブル保持部の一対の隔壁部間をその上方から全面的に覆うように前記ベース部上に設けられていることを特徴とする請求項１ないし３のいずれかに記載の電気コネクタ。
【請求項１１】
前記ケーブル保持部は、前記ベース部の底板部上に載置される基板部を有し、前記一対の隔壁部は前記基板部上に設けられていることを特徴とする請求項１０に記載の電気コネクタ。
【請求項１２】
前記ケーブル保持部は、前記基板部および前記一対の隔壁部を前記ベース部の底板部上において位置決めすると共に前記ベース部に係止する係止部を備えていることを特徴とする請求項１１に記載の電気コネクタ。
【請求項１３】
前記カバー部には、導電材料により形成され、前記ケーブル保持部の一対の隔壁部間の内部に入り込み、当該一対の隔壁部間の内部において当該一対の隔壁部間に保持された前記撚り戻し部をその上方から全面的に覆う内蓋部が設けられていることを特徴とする請求項１０ないし１２のいずれかに記載の電気コネクタ。
【請求項１４】
前記コネクタ本体には、それぞれ撚り戻した複数対の単線がそれぞれ装着され、
前記ケーブル保持部は複数対の前記隔壁部を備え、
前記複数対の単線の撚り戻し部は前記複数対の隔壁部間にそれぞれ保持されることを特徴とする請求項１０ないし１３のいずれかに記載の電気コネクタ。
【請求項１５】
前記ツイストペアケーブルは、互いに撚り合わされた少なくとも前記一対の単線をまとめて覆う導電材料により形成された導電シールドと、前記導電シールドを覆う絶縁材料により形成された絶縁シールドとを有するシールデッドツイストペアケーブルであり、
前記ベース部の基端側に設けられ、前記シールデッドツイストペアケーブルの端部において前記各単線の端部が前記コネクタ本体に装着されかつ前記撚り戻し部が前記ケーブル保持部に保持された状態で、前記導電シールドを前記ベース部に電気的に接続する導電シールド接続部を備えていることを特徴とする請求項１ないし１４のいずれかに記載の電気コネクタ。
【請求項１６】
導体と当該導体を被膜する絶縁体とをそれぞれ有する一対の単線を互いに撚り合わせることにより形成されたツイストペアケーブルの端部と電気コネクタとを接続する接続方法であって、
前記ツイストペアケーブルの端部において前記一対の単線を撚り戻し、撚り戻した前記各単線の端部を、絶縁材料により形成されたコネクタ本体に装着する工程と、
導電材料により形成され、先端側に前記コネクタ本体が配置されたベース部の基端側に、前記ツイストペアケーブルの撚り戻した一対の単線を互いに平行に、かつ互いに近接または接触させて並べる工程と、
前記ベース部の基端側に並べられた一対の単線を、導電材料により形成されたケーブル保持部で前記ベース部の基端側において保持する工程と、
前記ベース部との間に少なくとも前記撚り戻し部および前記ケーブル保持部が位置するように前記ベース部にカバー部を取り付ける工程とを備えた接続方法。
【発明の詳細な説明】
【技術分野】
【０００１】
本発明は、ツイストペアケーブルに接続される電気コネクタ、およびツイストペアケーブルと電気コネクタとの接続方法に関する。
【背景技術】
【０００２】
一般に、ツイストペアケーブルには、アンシールデッドツイストペアケーブル（ＵＴＰ）とシールデッドツイストペアケーブル（ＳＴＰ）がある。アンシールデッドツイストペアケーブルは、一対の単線を撚り合わせることにより形成されたケーブルである。アンシールデッドツイストペアケーブルは、単なる平行線と比較して、外部からのノイズの影響を受け難く、ノイズ輻射も少ないといった良好なノイズ性能を有し、または取り回しが容易で安価であることから広く普及している。しかし、アンシールデッドツイストペアケーブルは、同軸ケーブルと比較するとノイズ性能が良いとはいえない。そこで、一対の単線を撚り合わせたものを導電シールドで被覆することによりノイズ性能をより良くしたシールデッドツイストペアケーブルも広く普及している。
【先行技術文献】
【特許文献】
【０００３】
【特許文献１】特開２００４−７１４０４号公報
【発明の概要】
【発明が解決しようとする課題】
【０００４】
ところで、アンシールデッドツイストペアケーブルの端部に電気コネクタを接続するとき、電気コネクタのハウジング内に所定の位置関係を持って相互に離間して配置される複数の端子に、アンシールデッドツイストペアケーブルの一対の単線の端部を接続する。このため、アンシールデッドツイストペアケーブルの端部において一対の単線を撚り戻す。この結果、一対の単線を撚り合わせることによって実現されていたアンシールデッドツイストペアケーブルの高周波における所定の特性インピーダンスが、一対の単線を撚り戻した部分において増加してしまう。
【０００５】
また、シールデッドツイストペアケーブルの場合には、その端部において導電シールドを除去して一対の単線を露出させた上で、これら単線を撚り戻す。この結果、一対の単線を撚り合わせ、かつ導電シールドで被覆することによって実現されていたシールデッドツイストペアケーブルの高周波における所定の特性インピーダンスが、一対の単線を露出させて撚り戻した部分において増加してしまう。
【０００６】
このように、単線の撚り戻し、または導電シールドの除去により、ツイストペアケーブルの撚り戻し部分においてインピーダンスが増加すると、電気コネクタおよびツイストペアケーブルを介して接続される回路間または装置間におけるインピーダンス整合をとることが困難になる。
【０００７】
また、単線の撚り戻し、または導電シールドの除去により、電気コネクタと接続されるツイストペアケーブルの端部においてツイストペアケーブルが本来有していたノイズ性能が低下してしまう。
【０００８】
また、上記特許文献１には、ツイストペアケーブルの撚り戻し部分において、撚り戻された一対の単線をテープやチューブで束ねることで、撚り戻し部分におけるインピーダンスを調整する方法が記載されている。しかしながら、電気コネクタが小型の場合や、複数のツイストペアケーブル（複数組の対線）を１つの電気コネクタに狭い間隔で接続する場合等には、撚り戻された一対の単線をテープやチューブで束ねる作業は容易ではない。この結果、上記特許文献１に記載の技術を採用すると、ツイストペアケーブルに電気コネクタを接続する作業が煩雑になり、作業時間の増大や、テープやチューブの取付不良による歩留まりの悪化を招くおそれがある。
【０００９】
本発明は例えば上述したような問題に鑑みなされたものであり、本発明の課題は、ツイストペアケーブル、特にシールデッドツイストペアケーブルの撚り戻し部におけるインピーダンスの増加またはノイズ性能の低下を抑えることができ、かつ、ツイストペアケーブルと電気コネクタとの接続を容易または確実に行うことができる電気コネクタ、およびツイストペアケーブルと電気コネクタとの接続方法を提供することにある。
【課題を解決するための手段】
【００１０】
上記課題を解決するために、本発明の第１の電気コネクタは、導体と当該導体を被膜する絶縁体とをそれぞれ有する一対の単線を互いに撚り合わせることにより形成されたツイストペアケーブルの端部に接続する電気コネクタであって、絶縁材料により形成され、前記ツイストペアケーブルの端部において一対の単線を撚り戻し、撚り戻した前記各単線の端部を装着するコネクタ本体と、前記コネクタ本体および前記ツイストペアケーブルの端部における一対の単線を撚り戻した部分である撚り戻し部を保持するシェル部材とを備え、前記シェル部材は、導電材料により形成され、先端側に前記コネクタ本体が配置され、基端側に前記撚り戻し部が配置されるベース部と、導電材料により形成され、前記ベース部の基端側に配置された前記撚り戻し部における前記一対の単線を、当該一対の単線が互いに平行に並びかつ互いに近接または接触するように位置決めした状態で保持するケーブル保持部と、前記ベース部との間に少なくとも前記撚り戻し部および前記ケーブル保持部が位置するように前記ベース部上に設けられたカバー部とを備えている。
【００１１】
本発明の第１の電気コネクタでは、ケーブル保持部により、ツイストペアケーブルの撚り戻し部を保持し、撚り戻し部における一対の単線を互いに平行に並びかつ互いに近接または接触するように位置決めする。これにより、撚り戻し部におけるインピーダンスを下げることでき、当該電気コネクタおよびツイストペアケーブルを介して接続される回路間または装置間のインピーダンス整合をとることができる。さらに、ベース部およびケーブル保持部をいずれも導電材料により形成することにより、撚り戻し部を導電材料で覆うことができる。これにより、当該導電材料を接地すれば、撚り戻し部におけるインピーダンスをより下げることができ、当該電気コネクタおよびツイストペアケーブルを介して接続される回路間または装置間のインピーダンス整合をより効果的にとることができる。さらに、これらの構成により、電気コネクタに接続されるツイストペアケーブルの端部においてツイストペアケーブルが本来有するノイズ性能の低下を抑えることができる。
【００１２】
上記課題を解決するために、本発明の第２の電気コネクタは、上述した本発明の第１の電気コネクタにおいて、前記ケーブル保持部は、前記撚り戻し部における前記一対の単線の周囲の全部または一部をまとめて覆うことを特徴とする。
【００１３】
これにより、撚り戻し部におけるインピーダンスをより一層下げることができ、当該電気コネクタおよびツイストペアケーブルを介して接続される回路間または装置間のインピーダンス整合をより一層効果的にとることができる。また、ツイストペアケーブルの端部におけるノイズ性能の低下を効果的に抑えることができる。
【００１４】
上記課題を解決するために、本発明の第３の電気コネクタは、上述した本発明の第１または第２の電気コネクタにおいて、前記ケーブル保持部は、前記ベース部の基端部から前記コネクタ本体に達しまたは接近するまでの間、前記撚り戻し部を連続的に覆うことを特徴とする。
【００１５】
これにより、撚り戻し部におけるインピーダンスをより一層下げることができ、当該電気コネクタおよびツイストペアケーブルを介して接続される回路間または装置間のインピーダンス整合をより一層効果的にとることができる。また、ツイストペアケーブルの端部におけるノイズ性能の低下を効果的に抑えることができる。
【００１６】
上記課題を解決するために、本発明の第４の電気コネクタは、上述した本発明の第１ないし第３のいずれかの電気コネクタにおいて、前記ケーブル保持部は、前記ベース部に、当該ベース部から独立した導電部材を取り付けることにより形成されることを特徴とする。
【００１７】
これにより、ケーブル保持部により撚り戻し部を保持する構成を容易に実現することができる。
【００１８】
上記課題を解決するために、本発明の第５の電気コネクタは、上述した本発明の第４の電気コネクタにおいて、前記ベース部の基端側には、前記撚り戻し部の両側を挟み込むように前記ベース部から突出し、前記撚り戻し部における一対の単線を前記ベース部上において位置決めする少なくとも一対の突部が設けられ、前記導電部材は前記一対の突部間を架橋するように前記ベース部または前記一対の突部に取り付けられることを特徴とする。
【００１９】
これにより、撚り戻し部における一対の単線を一対の突部間に配置することにより、当該一対の単線をベース部上で位置決めした後、ベース部に導電部材を取り付けることで撚り戻し部を保持する構成を容易に作り上げることができる。したがって、電気コネクタをツイストペアケーブルに接続する際の作業性が良くなり、接続作業を容易にすることができ、接続作業の確実性を高めることができる。
【００２０】
上記課題を解決するために、本発明の第６の電気コネクタは、上述した本発明の第４または第５の電気コネクタにおいて、前記カバー部には、前記導電部材を前記ベース部との間で押さえる押さえ部が形成されていることを特徴とする。
【００２１】
これにより、撚り戻し部の保持を確実に維持することができる。また、カバー部に導電部材を押さえる機能を付することで、撚り戻し部の保持に必要な部材の個数を減らすことができる。
【００２２】
上記課題を解決するために、本発明の第７の電気コネクタは、上述した本発明の第１ないし第３のいずれかの電気コネクタにおいて、前記ケーブル保持部は、前記ベース部の一部を切り起こして曲げることにより形成されることを特徴とする。
【００２３】
これにより、撚り戻し部の保持に必要な部材を減らすことができる。
【００２４】
上記課題を解決するために、本発明の第８の電気コネクタは、上述した本発明の第１ないし第３のいずれかの電気コネクタにおいて、前記カバー部の全部または一部は導電材料により形成され、前記ケーブル保持部は、前記ベース部に前記カバー部を取り付けることにより、当該カバー部のうち導電材料により形成された部分で前記撚り戻し部の少なくとも上部を覆うことにより形成されることを特徴とする。
【００２５】
すなわち、カバー部の全部が導電材料により形成されている場合には、当該カバー部をベース部に取り付けることにより前記撚り戻し部の少なくとも上部を覆う構成とすることが望ましい。また、カバー部の全部が導電材料により形成されていない場合には、カバー部のうち、当該カバー部をベース部に取り付けた際に前記撚り戻し部と対応する部分を導電材料により形成し（例えば当該部分に導電材料からなる部材を一体的に設け）、当該カバー部をベース部に取り付けることにより、当該カバー部の導電材料で形成された部分により前記撚り戻し部の少なくとも上部を覆う構成としてもよい。いずれの構成であっても、カバー部を利用してケーブル保持部を実現することができるので、電気コネクタを構成する部材の個数を減らすことができ、製造コストの削減等を図ることができると共に、電気コネクタをツイストペアケーブルに接続する作業の簡素化を図ることができる。
【００２６】
上記課題を解決するために、本発明の第９の電気コネクタは、上述した第１ないし第８の電気コネクタにおいて、前記コネクタ本体には、それぞれ撚り戻した複数対の単線がそれぞれ装着され、前記ベース部の基端側には前記複数対の単線の撚り戻し部がそれぞれ配置され、前記ケーブル保持部は複数設けられ、前記ベース部の基端側に配置された前記複数対の単線の撚り戻し部をそれぞれ保持することを特徴とする。
【００２７】
これにより、複数のツイストペアケーブルのそれぞれの撚り戻し部におけるインピーダンスを効率良く下げることができる。また、複数のツイストペアケーブルの端部におけるノイズ性能の低下を効率良く抑えることができる。
【００２８】
上記課題を解決するために、本発明の第１０の電気コネクタは、上述した本発明の第１ないし第３のいずれかの電気コネクタにおいて、前記ベース部は、当該ベース部の底板を形成する底板部と当該ベース部の横壁を形成する一対の側板部とを備え、前記ケーブル保持部は一対の隔壁部を備え、前記一対の隔壁部は、前記ベース部の底板部上であって一対の側板部間に配置され、前記ベース部の底板部に対して立ち上がり、前記ベース部の基端部から前記コネクタ本体に達しまたは接近する位置まで互いに平行に伸長し、前記撚り戻し部は前記ケーブル保持部の一対の隔壁部間に保持され、前記カバー部は、導電材料により平板状に形成され、前記ケーブル保持部の一対の隔壁部間をその上方から全面的に覆うように前記ベース部上に設けられていることを特徴とする。
【００２９】
本発明の第１０の電気コネクタにおいて、撚り戻し部は、その全周が、いずれも導電材料により形成された、ケーブル保持部の隔壁部、ベース部の底板部およびカバー部によって全面的に覆われる。これにより、撚り戻し部におけるインピーダンスを確実に下げることができ、当該電気コネクタおよびツイストペアケーブルを介して接続される回路間または装置間のインピーダンス整合をより効果的にとることができる。また、電気コネクタに接続されるツイストペアケーブルの端部においてツイストペアケーブルが本来有するノイズ性能の低下を確実に抑えることができる。
【００３０】
上記課題を解決するために、本発明の第１１の電気コネクタは、上述した本発明の第１０の電気コネクタにおいて、前記ケーブル保持部は、前記ベース部の底板部上に載置される基板部を有し、前記一対の隔壁部は前記基板部上に設けられていることを特徴とする。
【００３１】
本発明の第１１の電気コネクタによれば、ケーブル保持部の一対の隔壁部を基板部に設けることで、ケーブル保持部を、基板部および一対の隔壁部を備えた単一の部材として形成することができる。これにより、電気コネクタの組立性を良くすることができる。
【００３２】
上記課題を解決するために、本発明の第１２の電気コネクタは、上述した本発明の第１１の電気コネクタにおいて、前記ケーブル保持部は、前記基板部および前記一対の隔壁部を前記ベース部の底板部上において位置決めすると共に前記ベース部に係止する係止部を備えていることを特徴とする。
【００３３】
本発明の第１２の電気コネクタによれば、ケーブル保持部のベース部に対する位置決めおよび取付を容易にかつ高精度に行うことが可能になり、電気コネクタの組立の容易化および効率化を図ることができる。
【００３４】
上記課題を解決するために、本発明の第１３の電気コネクタは、上述した本発明の第１０ないし第１２のいずれかの電気コネクタにおいて、前記カバー部には、導電材料により形成され、前記ケーブル保持部の一対の隔壁部間の内部に入り込み、当該一対の隔壁部間の内部において当該一対の隔壁部間に保持された前記撚り戻し部をその上方から全面的に覆う内蓋部が設けられていることを特徴とする。
【００３５】
本発明の第１３の電気コネクタにおいて、撚り戻し部は、その全周が、いずれも導電材料により形成された、ケーブル保持部の隔壁部、ベース部の底板部（ケーブル保持部が基板部を有する場合はケーブル保持部の基板部）、およびカバー部の内蓋部により全面的に覆われ、さらにその外周側において、いずれも導電材料により形成された、ベース部の側板部、ベース部の底板部、およびカバー部によって全面的に覆われる。このように、撚り戻し部は導電材料により全面的に二重に包囲されるので、撚り戻し部のシールド性を著しく高めることができ、撚り戻し部におけるインピーダンスの低下、およびノイズ性能低下の抑制をより一層確実に図ることができる。
【００３６】
上記課題を解決するために、本発明の第１４の電気コネクタは、上述した本発明の第１０ないし第１３のいずれかの電気コネクタにおいて、前記コネクタ本体には、それぞれ撚り戻した複数対の単線がそれぞれ装着され、前記ケーブル保持部は複数対の前記隔壁部を備え、前記複数対の単線の撚り戻し部は前記複数対の隔壁部間にそれぞれ保持されることを特徴とする。
【００３７】
これにより、複数のツイストペアケーブルのそれぞれの撚り戻し部におけるインピーダンスを効率良く確実に下げることができる。また、複数のツイストペアケーブルの端部におけるノイズ性能の低下を効率良く確実に抑えることができる。
【００３８】
上記課題を解決するために、本発明の第１５の電気コネクタは、上述した本発明の第１ないし第１４のいずれかの電気コネクタにおいて、前記ツイストペアケーブルは、互いに撚り合わされた少なくとも前記一対の単線をまとめて覆う導電材料により形成された導電シールドと、前記導電シールドを覆う絶縁材料により形成された絶縁シールドとを有するシールデッドツイストペアケーブルであり、前記ベース部の基端側に設けられ、前記シールデッドツイストペアケーブルの端部において前記各単線の端部が前記コネクタ本体に装着されかつ前記撚り戻し部が前記ケーブル保持部に保持された状態で、前記導電シールドを前記ベース部に電気的に接続する導電シールド接続部を備えていることを特徴とする。
【００３９】
これにより、接地された導電シールドを、導電シールド接続部を介してベース部に電気的に接続することで、ベース部およびケーブル保持部を接地することができ、撚り戻し部のインピーダンスを下げる効果を容易に実現することができる。
【００４０】
上記課題を解決するために、本発明の接続方法は、導体と当該導体を被膜する絶縁体とをそれぞれ有する一対の単線を互いに撚り合わせることにより形成されたツイストペアケーブルの端部と電気コネクタとを接続する接続方法であって、前記ツイストペアケーブルの端部において前記一対の単線を撚り戻し、撚り戻した前記各単線の端部を、絶縁材料により形成されたコネクタ本体に装着する工程と、導電材料により形成され、先端側に前記コネクタ本体が配置されたベース部の基端側に、前記ツイストペアケーブルの撚り戻した一対の単線を互いに平行に、かつ互いに近接または接触させて並べる工程と、前記ベース部の基端側に並べられた一対の単線を、導電材料により形成されたケーブル保持部で前記ベース部の基端側において保持する工程と、前記ベース部との間に少なくとも前記撚り戻し部および前記ケーブル保持部が位置するように前記ベース部にカバー部を取り付ける工程とを備えている。
【００４１】
これにより、ツイストペアケーブルの撚り戻し部におけるインピーダンスを下げることができ、また、ツイストペアケーブルの端部におけるノイズ性能の低下を抑えることができる。
【発明の効果】
【００４２】
本発明によれば、ツイストペアケーブル、特にシールデッドツイストペアケーブルの撚り戻し部におけるインピーダンスの増加またはノイズ性能の低下を抑えることができる。また、ツイストペアケーブルと電気コネクタとの接続を容易または確実に行うことができ、接続作業時間を短縮し、または歩留まりを良くすることができる。
【図面の簡単な説明】
【００４３】
【図１】本発明の第１の実施形態による電気コネクタを示す斜視図である。
【図２】図１中の矢示ＩＩ−ＩＩ方向から見た本発明の第１の実施形態による電気コネクタを示す断面図である。
【図３】本発明の第１の実施形態による電気コネクタにおいてベース部にコネクタ本体が配置された状態を示す斜視図である。
【図４】本発明の第１の実施形態による電気コネクタにおいてベース部にコネクタ本体およびシールデッドツイストペアケーブルの撚り戻し部が配置された状態を示す斜視図である。
【図５】本発明の第１の実施形態による電気コネクタにおいてベース部にケーブルカバー部材が取り付けられた状態を示す斜視図である。
【図６】本発明の第１の実施形態による電気コネクタにおけるケーブルカバー部材を示す斜視図である。
【図７】本発明の第１の実施形態による電気コネクタにおいてベース部にケーブルカバー部材が取り付けられるときの状態を示す、図２と同じ方向から見た断面図である。
【図８】シールデッドツイストペアケーブルの端部を示す斜視図である。
【図９】シールデッドツイストペアケーブルの端部において絶縁シールドを除去し、導電シールドを折り返し、各導電被膜を除去し、２対の単線をそれぞれ撚り戻し、各単線の導体端部を露出させた状態を示す斜視図である。
【図１０】シールデッドツイストペアケーブルの接続途中の段階における、本発明の第２の実施形態による電気コネクタを示す斜視図である。
【図１１】シールデッドツイストペアケーブルの接続途中の段階における、本発明の第３の実施形態による電気コネクタを示す斜視図である。
【図１２】シールデッドツイストペアケーブルの接続途中の段階における、本発明の第４の実施形態による電気コネクタを示す斜視図である。
【図１３】本発明の第５の実施形態による電気コネクタの要部を抜き出して示す斜視図である。
【図１４】シールデッドツイストペアケーブルの接続途中の段階における、本発明の第６の実施形態による電気コネクタを示す斜視図である。
【図１５】本発明の第７の実施形態による電気コネクタを示す斜視図である。
【図１６】本発明の第７の実施形態による電気コネクタの分解した状態を示す斜視図である。
【図１７】本発明の第７の実施形態による電気コネクタにおけるベース部、コネクタ本体およびケーブル保持部等を示す斜視図である。
【図１８】本発明の第７の実施形態による電気コネクタにおけるケーブル保持部を示す斜視図である。
【図１９】本発明の第７の実施形態による電気コネクタにおけるシェルカバー部の下面側を示す斜視図である。
【発明を実施するための形態】
【００４４】
以下、本発明の実施の形態について添付図面を参照にしながら説明する。
【００４５】
（第１の実施形態）
まず、本発明の第１の実施形態による電気コネクタについて説明する。図１および図２は本発明の第１の実施形態による電気コネクタを示している。一方、図８および図９は図１中の電気コネクタに接続されるシールデッドツイストペアケーブルを示している。
【００４６】
図１中の本発明の第１の実施形態による電気コネクタ１は、シールデッドツイストペアケーブル１０１の端部に接続する電気コネクタである。図８に示すように、本実施形態において例にあげるシールデッドツイストペアケーブル１０１は、一対の単線１０２を互いに撚り合わせることにより形成された撚り対線を２組有する。さらに、シールデッドツイストペアケーブル１０１には、撚り対線ごとにドレイン線１０３が設けられ、各撚り対線は、ドレイン線１０３と共に導電被膜１０７で覆われている。また、ドレイン線１０３と共に導電被膜１０７でそれぞれ覆われた２組の撚り対線は、２組まとめて導電シールド１０４で覆われ、さらに、この導電シールド１０４は絶縁シールド１０５で覆われている。各単線１０２は、例えば銅等から形成された線状の導体１０２Ａと、導体１０２Ａを被膜するポリ塩化ビニル等から形成された絶縁体１０２Ｂとをそれぞれ有している。また、導電シールド１０４は例えば銅合金、アルミニウム等の導電材料により形成され、絶縁シールド１０５は例えばポリエステル、ポリプロピレン等の絶縁材料により形成されている。
【００４７】
シールデッドツイストペアケーブル１０１に電気コネクタ１を接続するときには、図９に示すように、電気コネクタ１を接続する側のシールデッドツイストペアケーブル１０１の端部において、絶縁シールド１０５を除去し、導電シールド１０４を外側へ折り返し、各導電被膜１０７を除去する。そして、２対の単線１０２をそれぞれ撚り戻し、各単線１０２の端部において絶縁体１０２Ｂを取り除いて導体１０２Ａの端部を露出させる。以下、シールデッドツイストペアケーブル１０１に電気コネクタ１を接続するときに、シールデッドツイストペアケーブル１０１の端部において各対の単線１０２を撚り戻した部分を「撚り戻し部１０６」という。各撚り戻し部１０６は、導電シールド１０４が折り返されて各導電被膜１０７が除去され、各単線１０２が露出し始める部位から、撚り戻された各単線１０２の端部までの間を指す。
【００４８】
さて、図１において、電気コネクタ１は、コネクタ本体２、シェル部材３およびケーブル締め付け固定部１０から大略構成されている。
【００４９】
コネクタ本体２は、絶縁材料により形成され、シールデッドツイストペアケーブル１０１の撚り戻された２組の対線における各単線１０２の端部を装着する複数の装着口２Ａ（図３参照）が形成されている。また、コネクタ本体２の内部には、各装着口２Ａに各単線１０２の端部を装着するときに、当該各単線１０２の導体１０２Ａの端部に電気的に接続される接続端子１２（図２参照）を収容する端子収容部（図示せず）が設けられている。
【００５０】
シェル部材３は、コネクタ本体２およびシールデッドツイストペアケーブル１０１の端部を保持するものである。すなわち、シェル部材３は、図１に示すように、ベース部４およびシェルカバー部８を備え、図２に示すように、ベース部４とシェルカバー部８との間に、コネクタ本体２、およびコネクタ本体２に各単線１０２の端部が装着されたシールデッドツイストペアケーブル１０１の端部を保持する。さらに、シェル部材３は、図２に示すように、ベース部４とシェルカバー部８との間に、シールデッドツイストペアケーブル１０１における各撚り戻し部１０６を保持するケーブル保持部７を備えている。
【００５１】
図３は、シェル部材３のベース部４にコネクタ本体２が配置された状態を示し、図４はさらにベース部４にシールデッドツイストペアケーブル１０１における各撚り戻し部１０６が配置された状態を示し、図５はさらにベース部４に各ケーブルカバー部材６が取り付けられた状態を示している。
【００５２】
図３において、シェル部材３のベース部４は例えば銅合金等の導電材料により形成されている。ベース部４は、方形の金属板の両端部を曲げることにより、その横断面が、上向きに開口するコ字状に形成され、底板部４Ａと、底板部４Ａの幅方向両側に位置する側板部４Ｂ、４Ｃとを備えている。ベース部４の先端側に位置する底板部４Ａ上であって、側板部４Ｂと４Ｃとの間にはコネクタ本体２が配置されている。
【００５３】
一方、ベース部４の基端側に位置する底板部４Ａ上には、図４に示すように、コネクタ本体２に各単線１０２の端部が装着されたシールデッドツイストペアケーブル１０１の各撚り戻し部１０６が配置される。具体的に説明すると、ベース部４の基端側に位置する底板部４Ａ上には、シールデッドツイストペアケーブル１０１が有する２組の対線にそれぞれ対応する２つの撚り戻し部１０６が、ベース部４の幅方向において互いに離間して配置される。
【００５４】
さらに、各撚り戻し部１０６における一対の単線１０２は、当該一対の単線１０２が互いに平行に並びかつ互いに近接または接触するように位置決めした状態で複数の切り起こし部５によって保持される。すなわち、ベース部４の底板部４Ａにおいて相互に幅方向に離間した２つの領域、つまり２組の対線にそれぞれ対応する２つの撚り戻し部１０６を配置する２つの領域には、それぞれ例えば６つの切り起こし部５が形成されている。
【００５５】
具体的に説明すると、ベース部４の底板部４Ａにおいて、図４中左側に装着された対線に対応する撚り戻し部１０６が配置される領域には、底板部４Ａの基端側から先端側にかけて３つの切り起こし部５が所定の間隔を持って２列配列されている。これら２つの列はそれぞれ直線状であり、互いに平行である。これら２つの列間の距離（つまりベース部４の幅方向において対向する２つの切り起こし部５間の距離）は、例えば各単線１０２の直径寸法のほぼ２倍である。そして、各切り起こし部５は底板部４Ａから上側に向けて突出しており、その高さ寸法は、例えば各単線１０２の直径寸法にほぼ等しい。
【００５６】
このような切り起こし部５が並んだ２つの列の間に、撚り戻し部１０６における一対の単線１０２を並べて装着することにより、当該撚り戻し部１０６における一対の単線１０２が切り起こし部５により位置決めされて保持される。すなわち、各列において直線状に配列された３つの切り起こし部５で、当該撚り戻し部１０６における一対の単線１０２の両側を挟み込むことにより、これら一対の単線１０２が互いに平行となるように位置決めされる。また、互いに対向する切り起こし部５間の距離が各単線１０２の直径寸法のほぼ２倍であることにより、当該撚り戻し部１０６における一対の単線１０２が互いに近接または接触した状態で位置決めされる。ベース部４の底板部４Ａにおいて、図４中右側に装着された対線に対応する撚り戻し部１０６が配置される領域においても同様である。
【００５７】
さらに、ベース部４には、図５に示すように、例えば２つのケーブルカバー部材６が取り付けられ、これらケーブルカバー部材６により、ベース部４の底板部４Ａ上に配置された各撚り戻し部１０６が覆われる。ここで、図６はケーブルカバー部材６を拡大して示し、図７はケーブルカバー部材６がベース部４に取り付けられるときの状態を示している。
【００５８】
図６に示すように、ケーブルカバー部材６は、ベース部４から独立した部材であり、例えばベース部４と同一の導電材料から形成されている。また、ケーブルカバー部材６は、長尺の平板状に形成された天井板部６Ａと、天井板部６Ａの幅方向両側を曲げることにより形成された例えば４つの曲げ部６Ｂと、各曲げ部６Ｂに形成された突起６Ｃと、ベース部４に取り付けたときに天井板部６Ａの先端側からベース部４の先端側に向けて張り出す張り出し部６Ｄとを備えている。
【００５９】
ケーブルカバー部材６は、図７に示すように、ベース部４の底板部４Ａ上に配置された撚り戻し部１０６をその上から被せるようにベース部４に取り付けられる。これにより、ケーブルカバー部材６の天井板部６Ａは、撚り戻し部１０６の両側に配置された切り起こし部５間を架橋し、撚り戻し部１０６の上側を覆う。これと同時に、ケーブルカバー部材６の各曲げ部６Ｂが切り起こし部５間に嵌り込み、切り起こし部５と共に撚り戻し部１０６の右側および左側を覆う。これにより、撚り戻し部１０６における一対の単線１０２は、ケーブルカバー部材６の天井板部６Ａ、曲げ部６Ｂ、切り起こし部５、およびベース部４の底板部４Ａにおいて撚り戻し部１０６が配置された部分により全周に亘って覆われる。しかも、ケーブルカバー部材６の天井板部６Ａは、ベース部４の基端部からコネクタ本体２に達する手前の位置まで伸びており、かつ、互いに交互に配置された曲げ部６Ｂおよび切り起こし部５も全体としてベース部４の基端部からコネクタ本体２に達する位置まで伸びている。さらに、ケーブルカバー部材６の張り出し部６Ｄはコネクタ本体２に達する位置まで伸びている。これにより、撚り戻し部１０６は、ベース部４の基端部からコネクタ本体２に達するまでの間連続的に覆われる。この結果、各撚り戻し部１６は、その全周に亘り、かつその長さ方向のほぼ全域に亘り、導電材料により覆われることになる。
【００６０】
また、ケーブルカバー部材６の突起６Ｃは、ケーブルカバー部材６をベース部４に取り付けたときに、切り起こし部５に引っかかり、これにより、ケーブルカバー部材６はベース部４に固定される。
【００６１】
なお、各撚り戻し部１０６を覆う、ケーブルカバー部材６、切り起こし部５、およびベース部４の底板部４Ａにおいて撚り戻し部１０６が配置された部分は、ケーブル保持部７（図２参照）を構成している。また、ケーブルカバー部材６が導電部材の具体例であり、切り起こし部５が突部の具体例である。
【００６２】
図１に戻り、シェルカバー部８は、ベース部４との間に、コネクタ本体２、各撚り戻し部１０６を含むシールデッドツイストペアケーブル１０１の端部、およびケーブル保持部７が位置するようにベース部４上に設けられ、コネクタ本体２、各撚り戻し部１０６を含むシールデッドツイストペアケーブル１０１の端部、およびケーブルカバー部材６等を収容する部材である。シェルカバー部８は、例えばシェルカバー部８とベース部４の側板部４Ｂ、４Ｃとの間に形成された図示しない係止構造により、ベース部４に取り付けられる。
【００６３】
シェルカバー部８は、例えばベース部４と同じ導電材料により形成され、ベース部４の上側を覆うカバー板部８Ａを備えている。さらに、カバー板部８Ａにおいて、各ケーブルカバー部材６の位置と対応する位置には、ベース部４側に向けて突出する押さえ部８Ｂが設けられている。シェルカバー部８をベース部４に取り付けたとき、各押さえ部８Ｂはケーブルカバー部材６の天井板部６Ａの上面に接触し、ケーブルカバー部材６をベース部４に向けて押さえる。なお、シェルカバー部８を絶縁材料により形成してもよい。
【００６４】
また、図１に示すように、電気コネクタ１の基端側には、ベース部４とシェルカバー部８との間に、図９に示すようにいわゆる末端処理が施されたシールデッドツイストペアケーブル１０１の端部を挿通させるための挿通穴９が設けられている。さらに、電気コネクタ１の基端側には、末端処理が施されたシールデッドツイストペアケーブル１０１において導電シールド１０４が折り返された部分やその周辺を締め付け固定するケーブル締め付け固定部１０が設けられている。ケーブル締め付け固定部１０は、ベース部４と同じ導電材料により形成され、ベース部４と一体的に形成されている。ケーブル締め付け固定部１０は、シールデッドツイストペアケーブル１０１において導電シールド１０４が折り返された部分を締め付けることで導電シールド１０４と接触して電気的に接続される。これにより、シールデッドツイストペアケーブル１０１の導電シールド１０４が接地されている場合には、ケーブル締め付け固定部１０を介してベース部４が接地される。さらに、ベース部４の切り起こし部５、および切り起こし部５と接触しているケーブルカバー部材６も接地される。この結果、各撚り戻し部１０６は、接地された導電材料により覆われることになる。なお、ケーブル締め付け固定部１０が導電シールド接続部の具体例である。
【００６５】
このような構成を有する電気コネクタ１をシールデッドツイストペアケーブル１０１の端部に接続する方法は次のとおりである。
【００６６】
まず、図９に示すように、シールデッドツイストペアケーブル１０１の端部において、絶縁シールド１０５を除去し、導電シールド１０４を外側へ折り返し、各導電被膜１０７を除去する。そして、２対の単線１０２をそれぞれ撚り戻し、各単線１０２の端部において絶縁体１０２Ｂを取り除いて導体１０２Ａの端部を露出させる。続いて、露出させた各単線１０２の導体１０２Ａの端部に接続端子１２を圧着し、接続端子１２が圧着された各単線１０２の導体１０２Ａの端部をコネクタ本体２の装着口２Ａに装着する。
【００６７】
次に、ベース部４の基端側における底板部４Ａ上に各撚り戻し部１０６における一対の単線１０２を、切り起こし部５が並んだ２つの列の間に配置し、当該一対の単線１０２が互いに平行になり、かつ互いに接触または近接するように並べる。
【００６８】
次に、ベース部４の基端側における底板部４Ａ上に並べられた各撚り戻し部１０６を上から被せるようにケーブルカバー部材６をベース部４に取り付ける。
【００６９】
次に、ベース部４にシェルカバー部８を取り付け、ベース部４とシェルカバー部８との間にコネクタ本体２、各撚り戻し部１０６を含むシールデッドツイストペアケーブル１０１の端部および各ケーブルカバー部材６を収容すると共に、各ケーブルカバー部材６をシェルカバー部８の押さえ部８Ｂで押さえる。
【００７０】
次に、シールデッドツイストペアケーブル１０１をケーブル締め付け固定部１０に締め付け固定する。このとき、折り返した導電シールド１０４をケーブル締め付け固定部１０に接触させ、導電シールド１０４とケーブル締め付け固定部１０とを電気的に接続させる。以上より、電気コネクタ１のシールデッドツイストペアケーブル１０１の端部への接続が完了する。
【００７１】
以上説明した通り、本発明の第１の実施形態による電気コネクタ１によれば、シールデッドツイストペアケーブル１０１に電気コネクタ１を接続する際に、シールデッドツイストペアケーブル１０１の各撚り戻し部１０６における一対の単線１０２を互いに平行にかつ互いに近接または接触させた状態で位置決めすることができ、さらに、各撚り戻し部１０６を、その全周に亘り、かつその長さ方向のほぼ全域に亘り、導電材料で覆うことができる。これにより、シールデッドツイストペアケーブル１０１に電気コネクタ１を接続するために、シールデッドツイストペアケーブル１０１の端部において各単線１０２を撚り戻しても、撚り戻し部１０６におけるインピーダンスの増加を抑制することができる。したがって、電気コネクタ１およびシールデッドツイストペアケーブル１０１を介して接続される回路間または装置間におけるインピーダンス整合をとることができる。よって、インピーダンス不整合による信号の反射やノイズの発生を抑制することができる。また、電気コネクタ１内において各撚り戻し部１０６を導電材料で覆うことで、シールデッドツイストペアケーブル１０１が本来有するノイズ性能が低下するのを抑えることができる。
【００７２】
また、本発明の第１の実施形態による電気コネクタ１によれば、ベース部４の底板部４Ａに撚り戻し部１０６を配置し、カーブルカバー部材６を被せることにより、インピーダンスの増加およびノイズ性能の低下を抑えることができる。したがって、上述した特許文献１に記載されたツイストペアケーブルの撚り戻し部分をテープやチューブで束ねる場合と比較して、上記効果を簡単な作業により実現することができる。よって、本発明の第１の実施形態によれば、シールデッドツイストペアケーブル１０１に電気コネクタ１を接続する作業時間を短縮することができ、かつ、シールデッドツイストペアケーブル１０１と電気コネクタ１との接続不良の発生を減らし、歩留まりを良くすることができる。
【００７３】
（第２の実施形態）
次に、本発明の第２の実施形態による電気コネクタについて説明する。図１０は、シールデッドツイストペアケーブルの接続途中の段階における、本発明の第２の実施形態による電気コネクタを示している。なお、図１０において、上述した第１の実施形態による電気コネクタ１と同一の構成要素については同一の符号を付し、その説明を省略する。
【００７４】
図１０において、本発明の第２の実施形態による電気コネクタ２１においては、ベース部４の底板部４Ａに設けられた切り起こし部２２が、ベース部４の基端部からコネクタ本体２の手前の位置まで連続的に伸びている。また、各切り起こし部２２は横断面く字状に形成されている。
【００７５】
撚り戻し部１０６を配置する前には、図１０中右側の互いに対向する一対の切り起こし部２２のように、切り起こし部２２の双方の上端部が互いに離間しており、これら切り起こし部２２間に撚り戻し部１０６を装着することができるようになっている。そして、撚り戻し部１０６を装着し、撚り戻し部１０６における一対の単線１０２が互いに平行となりかつ近接または接触するように並べた後は、図１０中左側の互いに対向する一対の切り起こし部２２のように、切り起こし部２２の双方の上端部が互いに接触するように、これら切り起こし部２２を押し曲げる。この結果、撚り戻し部１０６は、その全周に亘り、かつその長さ方向のほぼ全域に亘り、各切り起こし部２２、およびベース部４の底板部４Ａにおいて当該撚り戻し部１０６が配置されている部分により覆われる。各切り起こし部２２は、ベース部４と同じ導電材料で形成されているので、各撚り戻し部１０６は、全周かつ長さ方向ほぼ全域に亘って導電材料により覆われることになる。
【００７６】
このような構成を有する本発明の第２の実施形態による電気コネクタ２１によっても、上述した本発明の第１の実施形態による電気コネクタ１とほぼ同様の作用効果を得ることができる。特に、本発明の第２の実施形態による電気コネクタ２１によれば、各切り起こし部２２により、各撚り戻し部１６の上側、右側および左側を覆う構成であるため、第１の実施形態の場合のように、ケーブルカバー部材が不要であり、さらにケーブルカバー部材を押さえるための押さえ部をシェルカバー部８に設ける必要がない。この結果、電気コネクタ２１を構成する部材の個数を減らすことができると共に、シェルカバー部８の形状を簡単化することができ、製造コストの削減等を図ることができる。また、互いに対向する切り起こし部２２間に撚り戻し部１０６を装着して、これら切り起こし部２２を曲げて閉じれば、撚り戻し部１０６を覆うことができるので、シールデッドツイストペアケーブル１０１と電気コネクタ２１との接続作業のより一層の簡単化を図ることができる。
【００７７】
（第３の実施形態）
次に、本発明の第３の実施形態による電気コネクタについて説明する。図１１は、シールデッドツイストペアケーブルの接続途中の段階における、本発明の第３の実施形態による電気コネクタを示している。なお、図１１において、上述した第１の実施形態による電気コネクタ１と同一の構成要素については同一の符号を付し、その説明を省略する。
【００７８】
本発明の第２の実施形態による電気コネクタ２１の各切り起こし部２２が、撚り戻し部１０６をその幅方向両側から挟み込むような構成であったのに対し、図１１に示す本発明の第３の実施形態による電気コネクタ３１は、各切り起こし部３２Ｂが、撚り戻し部１０６を幅方向一側から他側に向けて抱え込むような構成である。
【００７９】
すなわち、電気コネクタ３１では、各撚り戻し部１０６を覆う切り起こし部が、ベース部４の底板部４Ａから比較的小さく突出する例えば２つの切り起こし部３２Ａと、ベース部４の底板部４Ａから比較的大きく突出し、横断面がく字状であり、撚り戻し部１０６を抱え込む１つの切り起こし部３２Ｂにより構成されている。撚り戻し部１０６における一対の単線１０２は、各切り起こし部３２Ａと切り起こし部３２Ｂとの間に、互いに平行となり、かつ互いに近接または接触するように並べられる。そして、当該撚り戻し部１０６は切り起こし部３２Ｂにより、その周囲の大部分がその長さ方向ほぼ全域に亘って覆われる。
【００８０】
このような構成を有する本発明の第３の実施形態による電気コネクタ３１によっても、上述した本発明の第１または第２の実施形態による電気コネクタ１または２１とほぼ同様の作用効果を得ることができる。特に、本発明の第３の実施形態による電気コネクタ３１によれば、本発明の第２の実施形態による電気コネクタ２１と同様に、第１の実施形態の場合のようなケーブルカバー部材や、ケーブルカバー部材を押さえるための押さえ部が不要となるので、製造コストの削減等を図ることができる。
【００８１】
（第４の実施形態）
次に、本発明の第４の実施形態による電気コネクタについて説明する。図１２は、シールデッドツイストペアケーブルの接続途中の段階における、本発明の第４の実施形態による電気コネクタを示している。なお、図１２において、上述した第１の実施形態による電気コネクタ１と同一の構成要素については同一の符号を付し、その説明を省略する。
【００８２】
図１２に示す本発明の第４の実施形態による電気コネクタ４１は、導電材料により形成され、天井板部４２Ａ、天井板部４２の幅方向両側に設けられた側板部４２Ｂ、４２Ｃを有する横断面コ字状のケーブルカバー部材４２を備えている。ケーブルカバー部材４２の天井板部４２Ａおよび側板部４２Ｂ、４２Ｃはいずれもベース部４の基端部からコネクタ本体２の手前まで連続的に伸びている。さらに、天井板部４２Ａの先端側には張り出し部４２Ｄが設けられている。また、ケーブルカバー部材４２の側板部４２Ｂ、４２Ｃの下端部には複数の凸部４２Ｅが形成され、ベース部４の底板部４Ａには凸部４２Ｅを嵌め込むための穴部４３が形成されている。
【００８３】
撚り戻し部１０６における一対の単線１０２を互いに平行にかつ互いに近接または接触するように並べ、その上からケーブルカバー部材４２を被せ、ケーブルカバー部材４２の各凸部４２Ｅをベース部４の各穴部４３に嵌め込む。これにより、撚り戻し部１０６は、その全周に亘ってかつその長さ方向のほぼ全域に亘って導電材料により覆われることとなる。
【００８４】
このような構成を有する本発明の第４の実施形態による電気コネクタ４１によっても、上述した本発明の第１、第２または第３の実施形態による電気コネクタ１、２１または３１とほぼ同様の作用効果を得ることができる。特に、本発明の第４の実施形態による電気コネクタ４１によれば、他の実施形態と比較して、各撚り戻し部１０６の全周および長さ方向のほぼ全域をより確実に導電材料で覆うことができるので、インピーダンスを効果的に下げることができると共に、ノイズ性能の低下を効果的に抑えることができる。
【００８５】
（第５の実施形態）
次に、本発明の第５の実施形態による電気コネクタについて説明する。図１３は、シールデッドツイストペアケーブルの接続途中の段階における、本発明の第５の実施形態による電気コネクタを示している。なお、図１３において、上述した第１の実施形態による電気コネクタ１と同一の構成要素については同一の符号を付し、その説明を省略する。
【００８６】
図１３に示す、本発明の第５の実施形態による電気コネクタ５１は、シェルカバー部５２に各撚り戻し部１０６を覆う構造が形成されている。すなわち、シェルカバー部５２のカバー板部５２Ａの基端側がベース部４の底板部４Ａに接近するように屈曲しており、カバー板部５２Ａの基端側内面が、ベース部４上に配置された各撚り戻し部１０６の上部に近接または接触し、撚り戻し部１０６の上部を覆う。さらに、ベース部４の底板部４Ａから上向きに切り起こされた複数の切り起こし部５３と、シェルカバー部５２のカバー板部５２Ａから下向きに切り起こされた複数の切り起こし部５４とが互いに噛み合うことで、撚り戻し部１０６の一方の側面を覆う。これにより、シェルカバー部５２をベース部４と同様の導電材料により形成することで、各撚り戻し部１０６を導電材料で覆うことができる。
【００８７】
このような構成を有する本発明の第５の実施形態による電気コネクタ５１によっても、上述した第１、第２、第３または第４の実施形態による電気コネクタ１、２１、３１または４１とほぼ同様の作用効果を得ることができる。特に、本発明の第４の実施形態による電気コネクタ５１によれば、各撚り戻し部１０６を覆う構造を、シェルカバー部５２に形成することで、第１または第４の実施形態の場合におけるケーブルカバー部材が不要となるので、電気コネクタ５１を構成する部材の個数を減らすことができ、製造コストの削減等を図ることができる。
【００８８】
（第６の実施形態）
次に、本発明の第６の実施形態による電気コネクタについて説明する。図１４は、シールデッドツイストペアケーブルの接続途中の段階における、本発明の第６の実施形態による電気コネクタを示している。なお、図１４において、上述した第１の実施形態による電気コネクタ１と同一の構成要素については同一の符号を付し、その説明を省略する。
【００８９】
図１４に示す、本発明の第６の実施形態による電気コネクタ６１は、シェル部材６２のベース部６３内に、中間板部６４を設けることにより、上下方向に２段構造となっており、左右方向に複数の対線を装着することができるだけでなく、上下方向に複数の対線を装着することができ、多数の対線を装着し得る構造となっている。すなわち、電気コネクタ６１は、ベース部６３と同様に、中間板部６４を導電材料により形成し、中間板部６４に複数の切り起こし部６５を形成し、各切り起こし部６５により各撚り戻し部１０６を挟み込むようにして中間板部６４上において保持する。さらに、中間板部６４に配置する対線の個数に対応する個数のケーブルカバー部６を中間板部６４に取り付け、中間板部６４に配置された各撚り戻し部１０６を、その全周に亘り、かつその長さ方向全域に亘り覆う構成を備えている。
【００９０】
このような構成を有する本発明の第６の実施形態によっても、上述した第１、第２２、第３、第４または第５の実施形態による電気コネクタ１、２１、３１、４１または５１とほぼ同様の作用効果を得ることができる。特に、本発明の第６の実施形態による電気コネクタ６１によれば、当該電気コネクタ６１に接続される多数の対線について、インピーダンスの増加およびノイズ性能の低下を抑えることができる。また、本発明の第６の実施形態による電気コネクタ６１によれば、多数の対線と電気コネクタ６１との接続作業を容易かつ確実に行うことができる。
【００９１】
（第７の実施形態）
図１５および図１６は本発明の第７の実施形態による電気コネクタを示している。図１７は当該電気コネクタにおけるベース部、コネクタ本体およびケーブル保持部等を示し、図１８は当該電気コネクタにおけるケーブル保持部を示し、図１９は当該電気コネクタにおけるシェルカバー部の下面側を示している。なお、図１５ないし図１９において、上述した本発明の第１の実施形態による電気コネクタ１と同一の構成要素には同一の符号を付し、その説明を省略する。また、図１５ないし図１９において、シールデッドツイストペアケーブルの図示を省略している。
【００９２】
図１５において、本発明の第７の実施形態による電気コネクタ７１は、上述した本発明の第１の実施形態による電気コネクタ１と同様に、２組の撚り線対を有するシールデッドツイストペアケーブル１０１の端部（図８、図９参照）に接続する電気コネクタである。電気コネクタ７１は、コネクタ本体２、シェル部材７２およびケーブル締め付け固定部１０から大略構成されている。
【００９３】
シェル部材７２は、第１の実施形態による電気コネクタ１におけるシェル部材３と同様に、コネクタ本体２およびシールデッドツイストペアケーブル１０１の端部を保持する部材である。シェル部材７２は、図１６に示すように、ベース部７３、ケーブル保持部７５およびシェルカバー部８７を備えている。
【００９４】
ベース部７３は、例えば銅合金等の導電材料により形成されている。また、ベース部７３は、図１６に示すように、方形の金属板の両端部を曲げることにより、その横断面が、上向きに開口するコ字状に形成され、当該ベース部７３の底板を形成する底板部７３Ａと、当該ベース部７３の横壁を形成する一対の側板部７３Ｂ、７３Ｃとを備えている。また、ベース部７３の先端側に位置する底板部７３Ａ上であって、側板部７３Ｂと側板部７３Ｃとの間にはコネクタ本体２が配置されている。一方、ベース部７３の基端側に位置する底板部７３Ａ上には、ケーブル保持部７５が配置される。
【００９５】
また、ベース部７３の側板部７３Ｂ、７３Ｃには、コネクタ本体２を係止してコネクタ本体２をベース部７３に固定するための係止突部７３Ｄ（一方のみ図示）がそれぞれ形成されている。各係止突部７３Ｄは、コネクタ本体２の側面に形成された係止凹部２Ｂと係合する。また、ベース部７３の側板部７３Ｂ、７３Ｃには、ケーブル保持部７５を係止してケーブル保持部７５をベース部７３に固定するための係止孔７３Ｅがそれぞれ形成されている。係止孔７３Ｅは側板部７３Ｂに２つ形成され、側板部７３Ｃに２つ形成されている。各係止孔７３Ｅは、ケーブル保持部７５の係止突部８６と係合する。また、ベース部７３の側板部７３Ｂ、７３Ｃには、シェルカバー部８７を係止してシェルカバー部８７をベース部７３に固定するための係止孔７３Ｆがそれぞれ形成されている。各係止孔７３Ｆは、シェルカバー部８７の係止突部９０と係合する。なお、ケーブル保持部７５をベース部７３に係止するための係止機構は係止孔７３Ｅに限らず、凹部でもよいし、側板部７３Ｂ、７３Ｃに突部を形成し、ケーブル保持部７５に孔または凹部を形成してもよい。シェルカバー部８７をベース部７３に係止するための係止機構、およびコネクタ本体２をベース部７３に係止するための係止機構についても同様である。
【００９６】
ケーブル保持部７５は、ベース部７３の基端側において、シールデッドツイストペアケーブル１０１の各撚り戻し部１０６（図９参照）を保持する部材である。ケーブル保持部７５は、図１７に示すように、ベース部７３の基端側において、ベース部７３の底板部７３Ａ上であって側板部７３Ｂ、７３Ｃ間に配置されている。本実施形態におけるケーブル保持部７５は、シールデッドツイストペアケーブル１０１が有する２組の対線にそれぞれ対応する２つの撚り戻し部１０６を、ベース部４の幅方向において互いに離間させた状態でそれぞれ保持する。ケーブル保持部７５は、ベース部７３と同一の導電材料により形成されている。
【００９７】
ケーブル保持部７５は、図１８に示すように、基板部７６、一対の横側壁部７７、７８、２つに分断された基端側壁部７９、８０、２対の隔壁部８１、８２、８３、８４を備えている。これら基板部７６、横側壁部７７、７８、基端側壁部７９、８０、隔壁部８１、８２、８３、８４は、例えば所定の形状に形成された１枚の板材を曲げることにより形成されている。基板部７６はベース部７３の底板部７３Ａ上に載置される。横側壁部７７、７８は、基板部７６がベース部７３の底板部７３Ａ上に載置されたときに、ベース部７３の側板部７３Ｂ、７３Ｃとそれぞれ重なり合う。基端側壁部７９、８０は、基板部７６がベース部７３の底板部７３Ａ上に載置されたときに、シェル部材７２の基端側の壁となり、基端側壁部７９と基端側壁部８０との間が、シールデッドツイストペアケーブル１０１の端部を挿通させるための挿通穴８５となる。
【００９８】
一対の隔壁部８１、８２は、図１７に示すように、ベース部７３の底板部７３Ａに対して立ち上がり、ベース部７３の基端部からコネクタ本体２に達しまたは接近する位置まで互いに平行に伸長している。また、各隔壁部８１、８２は、その上端部が、ベース部７３上に取り付けられるシェルカバー部８７のカバー板部８８の下面と接触または接近する位置まで上方に伸長している。
【００９９】
シールデッドツイストペアケーブル１０１の一方の撚り戻し部１０６における一対の単線１０２は、当該一対の単線１０２が互いに平行に並びかつ互いに近接または接触するように位置決めした状態で、隔壁部８１と隔壁部８２との間に保持される。隔壁部８１と隔壁部８２との間の距離（隔壁部８１、８２が互いに平行に伸長している部分における両者間の距離）は、シールデッドツイストペアケーブル１０１の単線１０２の直径のほぼ２倍であり、シールデッドツイストペアケーブル１０１の一方の撚り戻し部１０６における一対の単線１０２が、上述したように位置決めした状態で隔壁部８１と隔壁部８２との間にぴったり嵌るように設定されている。これにより、当該一対の単線１０２を位置決めした状態で隔壁部８１と隔壁部８２との間に確実に保持することができ、両単線１０２の位置がずれるのを防止することができる。
【０１００】
また、隔壁部８１、８２のそれぞれにおいて、ベース部７３の先端側に向いた端部には、互いに幅方向に離れるように曲がり、隔壁部８１と隔壁部８２との間の距離が拡がるように傾斜した傾斜部８１Ａ、８２Ａが形成されている。傾斜部８１Ａ、８２Ａにより、コネクタ本体２の装着口２Ａに装着された一対の単線１０２を、装着口２Ａから隔壁部８１、８２間に導くに当たり、当該各単線１０２を緩やかに湾曲させることができ、当該各単線１０２に大きな曲げ力が加えられるのを防止することができる。一方、隔壁部８２において、ベース部７３の基端側に向いた端部には、隔壁部８１から幅方向に離れるように曲がり、ベース部７３の基端側の幅方向中央部に接近するように傾斜した傾斜部８２Ｂが形成されている。傾斜部８２Ｂにより、隔壁部８１、８２間に保持された一対の単線１０２を挿通穴８５に導くに当たり、当該各単線１０２を緩やかに湾曲させることができ、当該各単線１０２に大きな曲げ力が加えられるのを防止することができる。
【０１０１】
一対の隔壁部８３、８４も、隔壁部８１、８２と同様に形成されている。シールデッドツイストペアケーブル１０１の他方の撚り戻し部１０６における一対の単線１０２は、当該一対の単線１０２が互いに平行に並びかつ互いに近接または接触するように位置決めした状態で、隔壁部８３と隔壁部８４との間に保持される。また、隔壁部８３、８４にも、隔壁部８１、８２の傾斜部８１Ａ、８２Ａ、８２Ｂと同様に、傾斜部８３Ａ、８４Ａ、８４Ｂが形成されている。
【０１０２】
また、ケーブル保持部７５の横側壁部７７、７８には、当該ケーブル保持部７５をベース部７３の底板部７３Ａ上において位置決めすると共に、当該ケーブル保持部７５をベース部７３に係止して固定するための係止突部８６が形成されている。係止突部８６は、ベース部７３の側板部７３Ｂ、７３Ｃに形成された係止孔７３Ｅに対応するように、横側壁部７７に２つ形成され、横側壁部７８に２つ形成されている。係止突部８６は係止孔７３Ｅとそれぞれ係合する。このように係止突部８６および係止孔７３Ｅを形成することにより、ケーブル保持部７５のベース部７３に対する位置決めおよび固定を容易にかつ正確に行うことが可能になり、これにより、電気コネクタ７１の組立の容易化および効率化を図ることができる。
【０１０３】
シェルカバー部８７は、図１５に示すように、ベース部７３に配置されたコネクタ本体２およびシールデッドツイストペアケーブル１０１の端部をこれらの上方から全面的に覆う部材である。シェルカバー部８７は、ベース部７３との間に、コネクタ本体２、ケーブル保持部７５、および各撚り戻し部１０６を含むシールデッドツイストペアケーブル１０１の端部が位置するようにベース部７３上に設けられている。
【０１０４】
シェルカバー部８７は、例えばベース部７３と同じ導電材料により形成された平板状のカバー板部８８を備えている。シェルカバー部８７をベース部７３上に取り付けたとき、ベース部７３はその上方から全面的にカバー板部８８により覆われる。このとき、ベース部７３の底板部７３Ａ上に設けられたケーブル保持部７５の隔壁部８１、８２間および隔壁部８３、８４間もこれらの上方からカバー板部８８により全面的に覆われる。
【０１０５】
また、図１９に示すように、カバー板部８８の幅方向両側には下方に突出する支持部８９がそれぞれ設けられている。各支持部８９は、カバー板部８８を形成する板材を折り曲げることにより形成されている。また、各支持部８９には係止突部９０が形成されている。また、カバー板部８８の先端側には１対の張り出し部９１が形成されている。図１５および図１６に示すように、各張り出し部９１を、ベース部７３に固定されたコネクタ本体２に形成された溝部（図示せず）に挿入し、かつ各係止突部９０をベース部７３の側板部７３Ｂ、７３Ｃに形成された係止孔７３Ｆと係合することにより、シェルカバー部８７をベース部７３に固定することができる。また、カバー板部８８の基端側には張り出し部９２が形成されている。電気コネクタ７１を分解するときには、工具または指先等を張り出し部９２に引っ掛けることにより、シェルカバー部８７をベース部７３から取り外すことができる。
【０１０６】
また、シェルカバー部８７は、図１９に示すように、一対の内蓋部９３、９４を備えている。各内蓋部９３、９４は、例えばカバー板部８８と同じ導電材料により形成され、カバー板部８８の下面に配置されている。例えば、各内蓋部９３、９４は、カバー板部８８を形成する板材を曲げた後、内蓋部９３、９４の先端部に形成された連結部９５をカバー板部８８の下面に面接触させることにより形成されている。内蓋部９３は、ベース部７３の底板部７３Ａ上に配置されたケーブル保持部７５の隔壁部８１、８２と対応する位置に配置され、内蓋部９４は、ベース部７３の底板部７３Ａ上に配置されたケーブル保持部７５の隔壁部８３、８４と対応する位置に配置されている。
【０１０７】
内蓋部９３は、カバー板部８８の下面から下方に突出し、カバー板部８８の下面から離れた位置でカバー板部８８の下面と平行に拡がるカバー面９３Ａを有している。図１５に示すように、シェルカバー部８７をベース部７３上に取り付けたときには、内蓋部９３が隔壁部８１、８２間の内部に入り込み、カバー面９３Ａが隔壁部８１、８２間の内部において隔壁部８１、８２間に保持された撚り戻し部１０６をその上方から全面的に覆う。
【０１０８】
ここで、内蓋部９３は、ベース部７３の基端部からコネクタ本体２に達しまたは接近する位置まで伸長している。また、内蓋部９３の基端部の端面９３Ｃは、シェル部材７２の基端側の壁を形成する基端側壁部７９、８０の基端側外面とほぼ同一平面内にある。また、内蓋部９３の幅寸法は、隔壁部８１と隔壁部８２との間の距離とほぼ等しい。これにより、隔壁部８１、８２間に保持された撚り戻し部１０６は、隔壁部８１、８２、基板部７６、内蓋部９３により、長さ方向においても周方向においてそのほぼ全部分が全面的に覆われる。
【０１０９】
また、内蓋部９３は、先端部と基端部との２箇所のみがカバー板部８８の下面に支持された両持ち梁の構造を有している。これにより、内蓋部９３により、隔壁部８１、８２間に保持された撚り戻し部１０６にその上方から適度な弾性力をもって適度な押圧力を与えることができ、撚り戻し部１０６を上述したように位置決めされた状態のまま押さえ付けることができる。
【０１１０】
また、内蓋部９３において、ベース部７３の先端側に向いた端部には、カバー板部８８の先端側に向かうにつれてカバー板部８８の下面に漸次接近するように傾斜した傾斜部９３Ｂが形成されている。傾斜部９３Ｂにより、コネクタ本体２の装着口２Ａから隔壁部８１、８２間に導かれている各単線１０２に、その上方から過剰な押圧力が加わるのを防止することができる。
【０１１１】
また、内蓋部９４は、内蓋部９３と同様に形成されている。図１５に示すように、シェルカバー部８７をベース部７３上に取り付けたときには、内蓋部９４が隔壁部８３、８４間の内部に入り込み、カバー面９４Ａが隔壁部８３、８４間の内部において、隔壁部８３、８４間に保持された撚り戻し部１０６をその上方から全面的に覆う。これにより、隔壁部８３、８４間に保持された撚り戻し部１０６は、隔壁部８３、８４、基板部７６、内蓋部９４により、長さ方向においても周方向においてそのほぼ全部分が全面的に覆われる。また、内蓋部９４は、内蓋部９３と同様に両持ち梁の構造を有しており、これにより、内蓋部９４により、隔壁部８３、８４間に保持された撚り戻し部１０６にその上方から適度な弾性力をもって適度な押圧力を与えることができ、撚り戻し部１０６を上述したように位置決めされた状態のまま押さえ付けることができる。また、内蓋部９４は、内蓋部９３の傾斜部９３Ｂと同様に、傾斜部９４Ｂを有しており、これにより、コネクタ本体２の装着口２Ａから隔壁部８３、８４間に導かれている各単線１０２に、その上方から過剰な押圧力が加わるのを防止することができる。
【０１１２】
このような構成を有する電気コネクタ７１をシールデッドツイストペアケーブル１０１の端部に接続する方法は次のとおりである。すなわち、まず、図９に示すように、シールデッドツイストペアケーブル１０１の端部において、絶縁シールド１０５を除去し、導電シールド１０４を外側へ折り返し、各導電被膜１０７を除去する。そして、２対の単線１０２をそれぞれ撚り戻し、各単線１０２の端部において絶縁体１０２Ｂを取り除いて導体１０２Ａの端部を露出させる。続いて、露出させた各単線１０２の導体１０２Ａの端部に接続端子１２（図２参照）を圧着し、接続端子１２が圧着された各単線１０２の導体１０２Ａの端部を、まだベース部７３に取り付けられていないコネクタ本体２の装着口２Ａに装着する。
【０１１３】
次に、ケーブル保持部７５をベース部７３の基端側に取り付ける。これにより、ケーブル保持部７５とベース部７３とが電気的に接続される。続いて、コネクタ本体２をベース部７３の先端側に取り付け、コネクタ本体２に装着されたシールデッドツイストペアケーブル１０１の２つの撚り戻し部１０６を、隔壁部８１、８２間、および隔壁部８３、８４間にそれぞれ配置し、各撚り戻し部１０６の一対の単線１０２が互いに平行になり、かつ互いに接触または近接するように位置決めし、整線する。
【０１１４】
次に、ベース部７３上にシェルカバー部８７を取り付ける。これにより、内蓋部９３が隔壁部８１、８２間に入り込み、隔壁部８１、８２間に配置された一方の撚り戻し部１０６がその上方から全面的に覆われると共に押さえ付けられる。また、内蓋部９４が隔壁部８３、８４間に入り込み、隔壁部８３、８４間に配置された他方の撚り戻し部１０６がその上方から全面的に覆われると共に押さえ付けられる。さらに、ベース部７３に取り付けられたコネクタ本体２、ケーブル保持部７５、およびシールデッドツイストペアケーブル１０１の端部がこれらの上方からカバー板部８８により全面的に覆われる。また、シェルカバー部８７とベース部７３とが電気的に接続される。
【０１１５】
次に、シールデッドツイストペアケーブル１０１をケーブル締め付け固定部１０に締め付け固定する。このとき、折り返した導電シールド１０４をケーブル締め付け固定部１０に接触させ、導電シールド１０４とケーブル締め付け固定部１０とを電気的に接続させる。これにより、導電シールド１０４とベース部７３とが電気的に接続される。以上より、電気コネクタ７１のシールデッドツイストペアケーブル１０１の端部への接続が完了する。
【０１１６】
以上説明したとおり、本発明の第７の実施形態による電気コネクタ７１によれば、いずれも導電材料により形成された、ケーブル保持部７５の隔壁部８１、８２、８３８４、ケーブル保持部７５の基板部７６、およびシェルカバー部８７の内蓋部９３、９４により、シールデッドツイストペアケーブル１０１の各撚り戻し部１０６の長さ方向および周方向における全体を全面的に覆うことができる。さらに、この外周側から、各撚り戻し部１０６の全体を、いずれも導電材料により形成された、ベース部７３の側板部７３Ｂ、７３Ｃ、ベース部７３の底板部７３Ａ、およびシェルカバー部８７のカバー板部８８によって全面的に覆うことができる。このように、各撚り戻し部１０６全体を導電材料により全面的に二重に覆うことができるので、各撚り戻し部１０６のシールド性を著しく高めることができる。したがって、各撚り戻し部１０６におけるインピーダンスを確実に低下させることができ、電気コネクタ７１およびシールデッドツイストペアケーブル１０１を介して接続される回路間または装置間におけるインピーダンス整合を確実にとることができる。また、シールデッドツイストペアケーブル１０１が本来有するノイズ性能が低下するのを確実に抑えることができる。
【０１１７】
また、本発明の第７の実施形態による電気コネクタ７１によれば、ケーブル保持部７５を基板部７６および隔壁部８１、８２、８３、８４を備えた単一の部材として形成することができ、これにより、電気コネクタ７１の組立性を良くすることができる。
【０１１８】
なお、上述した第１ないし第５、および第７の実施形態では、２組の対線を有するシールデッドツイストペアケーブル１０１に接続する電気コネクタ１、２１、３１、４１、５１、７１を例にあげたが、本発明はこれに限らず、１組または３組以上の対線を有するシールデッドツイストペアケーブルに接続する電気コネクタにも適用することができる。
【０１１９】
また、上述した各実施形態では、シールデッドツイストペアケーブル１０１に接続する電気コネクタ１、２１、３１、４１、５１、６１、７１を例にあげたが、本発明はこれに限らず、アンシールデッドツイストペアケーブルに接続する電気コネクタにも適用することができる。
【０１２０】
また、上述した第１ないし第６の実施形態では、切り起こし部、ケーブルカバー部材等の導電部材により撚り戻し部１０６をその長さ方向ほぼ全域に亘って連続的に覆う場合を例にあげた。撚り戻し部１０６をその長さ方向ほぼ全域に亘って連続的に覆うことにより、インピーダンスの増加およびノイズ性能の低下を抑える効果が高まるので望ましいのであるが、例えば撚り戻し部１０６をその長さ方向の一部を覆い、または長さ方向ほぼ全域に亘って断続的に覆う構成でも、ある程度の効果を得ることができ、電気コネクタの用途等によってはこのような構成も採用し得る。
【０１２１】
また、本発明は、請求の範囲および明細書全体から読み取ることのできる発明の要旨または思想に反しない範囲で適宜変更可能であり、そのような変更を伴う電気コネクタおよびツイストペアケーブルと電気コネクタとの接続方法もまた本発明の技術思想に含まれる。
【符号の説明】
【０１２２】
１、２１、３１、４１、５１、６１、７１  電気コネクタ
２  コネクタ本体
３、６２、７２  シェル部材
４、６３、７３  ベース部
４Ａ、７３Ａ  底板部
４Ｂ、４Ｃ、７３Ｂ、７３Ｃ  側板部
５、２２、３２Ａ，３２Ｂ、５３、５４、６５  切り起こし部（突部）
６、４２  ケーブルカバー部材（導電部材）
７、７５  ケーブル保持部
８、５２、８７  シェルカバー部（カバー部）
８Ｂ  押さえ部
１０  ケーブル締め付け固定部（導電シールド接続部）
７６  基板部
８１、８２、８３、８４  隔壁部
８６  係止突部（係止部）
９３、９４  内蓋部
１０１シールデッドツイストペアケーブル
１０２  単線
１０２Ａ  導体
１０２Ｂ  絶縁体
１０４  導電シールド
１０５  絶縁シールド
１０６  撚り戻し部
【図１】
2012018898.tif 000003
【図２】
2012018898.tif 000004
【図３】
2012018898.tif 000005
【図４】
2012018898.tif 000006
【図５】
2012018898.tif 000007
【図６】
2012018898.tif 000008
【図７】
2012018898.tif 000009
【図８】
2012018898.tif 000010
【図９】
2012018898.tif 000011
【図１０】
2012018898.tif 000012
【図１１】
2012018898.tif 000013
【図１２】
2012018898.tif 000014
【図１３】
2012018898.tif 000015
【図１４】
2012018898.tif 000016
【図１５】
2012018898.tif 000017
【図１６】
2012018898.tif 000018
【図１７】
2012018898.tif 000019
【図１８】
2012018898.tif 000020
【図１９】
2012018898.tif 000021